【手続補正書】
【提出日】平成16年11月15日(2004.11.15)
【手続補正１】
【補正対象書類名】特許請求の範囲
【補正対象項目名】全文
【補正方法】変更
【補正の内容】
【特許請求の範囲】
【請求項１】
ＶＯＩＰ回線を含む複数の電話回線に接続された親機及び子機から構成される電話機の通話方法であって、前記親機内に切替器を備え、前記電話回線の状態を把握した出力に応答して前記電話回線へのルートを複数設定するように前記切替器を制御するステップと、前記電話機から前記電話回線へ発信する場合に、優先させる電話回線を登録するステップと、その出力に応答して前記優先させる電話回線へのルートを設定するように前記切替器を制御するステップと、を備え、前記電話回線と前記親機及び子機とのあいだで着信或は発信をして複数の通話を行い、発信の際には前記優先させる電話回線に発信して通話することを特徴とする電話機の通話方法。
【請求項２】
ＶＯＩＰ回線を含む複数の電話回線に接続された親機及び子機から構成される電話機の通話方法であって、前記親機内に切替器を備えて、前記電話回線の状態を把握した出力に応答して前記電話回線へのルートを複数設定するように前記切替器を制御するステップと、通話先を切替える場合に、前記電話機の操作パネル上の切替操作に応答し前記通話先を切替えるように前記切替器を制御するステップと、を備え、前記電話回線と前記親機及び子機とのあいだで着信或は発信をして複数の通話を行い、前記電話回線と前記電話機で通話をしている状態で、他の前記電話回線から着信があった時前記通話先を切替えて通話をする電話機の通話方法。
【請求項３】
ＶＯＩＰ回線を含む複数の電話回線に接続された親機及び子機から構成される電話機の通話方法であって、前記親機内に切替器を備えて、前記電話回線の状態を把握した出力に応答して前記電話回線へのルートを複数設定するように前記切替器を制御するステップと、前記電話機から前記電話回線へ発信する場合に、優先させる電話回線を登録するステップと、その出力に応答し前記優先させる電話回線へのルートを設定するように前記切替器を制御するステップと、通話先を切替える場合に、前記電話機の操作パネル上の切替操作に応答して前記通話先を切替えるように前記切替器を制御するステップと、を備え、前記電話回線と前記親機及び子機とのあいだで着信或は発信をして複数の通話を行い、発信の際には前記優先させる電話回線に発信して通話して、前記電話回線と前記電話機で通話をしている状態で他の前記電話回線から着信があった時には前記通話先を切替えて通話をする電話機の通話方法。
【請求項４】
ＶＯＩＰ回線を含む複数の電話回線に接続された親機及び子機から構成される電話機の通話方法であって、前記電話回線の状態を把握して前記電話回線と前記親機及び子機とのあいだで着信或は発信をして複数の通話を行うステップと、発信の際には前記ＶＯＩＰ回線を優先的に選択して前記ＶＯＩＰ回線から発信して通話するステップと、通話先を切替える場合に、前記電話機の操作パネル上の切替操作により子機を取り上げた時及び元に戻した時に発生する信号とは異なる信号形式の信号を発生するステップと、その信号に応答して前記通話先を切替えるステップと、を備え、前記電話回線と前記電話機で通話をしている状態で、他の前記電話回線から着信があった時前記通話先を切替えて通話をすることを特徴とする電話機の通話方法。
【請求項５】
ＶＯＩＰ回線を含む複数の電話回線に接続された親機及び子機から構成される電話機であって、前記親機内に設けられて制御手段１及び２で制御される切替手段と、前記電話回線の状態を把握する手段と、その出力に応答して前記電話回線へのルートを複数設定するように前記切替手段を制御する前記制御手段１と、優先させる電話回線を登録する手段と、その出力に応答して前記優先させる電話回線へのルートを設定するように前記切替手段を制御する前記制御手段２と、を備え、前記電話回線と前記親機及び子機とのあいだで着信或は発信をして複数の通話を行い、発信の際には前記優先させる電話回線に発信して通話することを特徴とする電話機。
【請求項６】
ＶＯＩＰ回線を含む複数の電話回線に接続された親機及び子機から構成される電話機であって、前記親機内に設けられて制御手段１及び３で制御される切替手段と、前記電話回線の状態を把握する手段と、その出力に応答して前記電話回線へのルートを複数設定するように前記切替手段を制御する前記制御手段１と、前記電話機の操作パネル上の切替操作に応答して通話先を切替えるように前記切替手段を制御する前記制御手段３と、を備え、前記電話回線と前記親機及び子機とのあいだで着信或は発信をして複数の通話を行い、前記電話回線と前記電話機で通話をしている状態で、他の前記電話回線から着信があった時前記通話先を切替えて通話することを特徴とする電話機。
【請求項７】
ＶＯＩＰ回線を含む複数の電話回線に接続された親機及び子機から構成される電話機であって、前記親機内に設けられて制御手段１、２及び３で制御される切替手段と、前記電話回線の状態を把握する手段と、その出力に応答して前記電話回線へのルートを複数設定するように前記切替手段を制御する前記制御手段１と、優先させる電話回線を登録する手段と、その出力に応答して前記優先させる電話回線へのルートを設定するように前記切替手段を制御する前記制御手段２と、前記電話機の操作パネル上の切替操作に応答して通話先を切替えるように前記切替手段を制御する前記制御手段３と、を備え、前記電話回線と前記親機及び子機とのあいだで着信或は発信をして複数の通話を行い、発信の際には前記優先させる電話回線に発信して、前記電話回線と前記電話機で通話をしている状態で、他の前記電話回線から着信があった時前記通話先を切替えて通話することを特徴とする電話機。
【請求項８】
前記切替操作によって発生する信号が子機を取り上げた時及び元に戻した時に発生する信号とは異なる信号形式で作成されていることを特徴とする請求項６及び７に記載の電話機。
【請求項９】
ＶＯＩＰ回線を含む複数の電話回線に接続された親機及び子機から構成される電話機であって、前記電話回線の状態を把握して前記電話回線と前記親機及び子機とのあいだで着信或は発信をして複数の通話を行う手段と、発信の際に前記ＶＯＩＰ回線を優先的に選択する手段と、通話先を切替える場合に、前記電話機の操作パネル上の切替操作により子機を取り上げた時及び元に戻した時に発生する信号とは異なる信号形式の信号を発生する手段と、その信号に応答して前記通話先を切替える手段と、を備え、発信の際に前記ＶＯＩＰ回線を優先的に選択して前記ＶＯＩＰ回線から発信して通話して、前記電話回線と前記電話機で通話をしている状態で、他の前記電話回線から着信があった時前記通話先を切替えて通話することを特徴とする電話機。
【手続補正２】
【補正対象書類名】明細書
【補正対象項目名】全文
【補正方法】変更
【補正の内容】
【発明の詳細な説明】
【発明の名称】通話方法及び電話機
【技術分野】
【０００１】    本発明は電話機に関し、特にＰＳＴＮ回線とＶＯＩＰ回線の２つの回線とのあいだで着信或は、発信をして通話する電話機に関する。
【背景技術】
【０００２】  近年インターネット回線を使用したＶＯＩＰ（ｖｏｉｃｅ  ｏｖｅｒ  ＩＰ）電話が実用になってきた。ＶＯＩＰ電話は音声品質には未だ問題があるが既存のＰＳＴＮ電話に比較して通話料金が低いという利点があり普及しようとしている。その使用形態のひとつはＩＰ回線と従来の電話機の間にＶＯＩＰ  ＴＡ（ＶＯＩＰ  ターミナル  アダプター）を設置して、従来の電話機で通話を行うものである。【０００３】ＶＯＩＰ  ＴＡは電話機で扱うアナログ音声信号をＩＰ回線上に重畳するＩＰデータ信号への符号化変換及びその逆の復号化変換を行うものである。このように現在では既存のＰＳＴＮ回線に加えてＶＯＩＰ回線の2つの電話回線がしかも独立に存在する。
【発明の開示】
【発明が解決しようとする課題】
【０００４】この２つの電話回線を有効に活用するためには、1種類の回線を入力としている従来の電話機では、それぞれ1台づつ合計2台が必要になる。更に2台使用した場合２回線の間の連携は取れないので使い勝手が悪い。また従来の電話機は親機と子機からなるコードレス電話が主流でありこの電話を2台備えることは家の中が電話機で溢れる感があり好ましくない。【０００５】本発明はこのような欠点を取り除くもので、本発明の目的はＶＯＩＰ回線を含む複数の電話回線を効率的に融合して使用することができることのみならず通話料金を低く抑えることができる手段を提供することにある。
【課題を解決するための手段】
【０００６】以上の課題を解決するためになされた本発明はＶＯＩＰ回線を含む複数の電話回線に接続された親機及び子機から構成される電話機の通話方法であって、前記親機内に切替器を備え、前記電話回線の状態を把握した出力に応答して前記電話回線へのルートを複数設定するように前記切替器を制御するステップと、前記電話機から前記電話回線へ発信する場合に、優先させる電話回線を登録するステップと、その出力に応答して前記優先させる電話回線へのルートを設定するように前記切替器を制御するステップと、を備え、前記電話回線と前記親機及び子機とのあいだで着信或は発信をして複数の通話を行い、発信の際には前記優先させる電話回線に発信して通話することを特徴とする電話機の通話方法である。【０００７】また、ＶＯＩＰ回線を含む複数の電話回線に接続された親機及び子機から構成される電話機の通話方法であって、前記親機内に切替器を備えて、前記電話回線の状態を把握した出力に応答して前記電話回線へのルートを複数設定するように前記切替器を制御するステップと、通話先を切替える場合に、前記電話機の操作パネル上の切替操作に応答し前記通話先を切替えるように前記切替器を制御するステップと、を備え、前記電話回線と前記親機及び子機とのあいだで着信或は発信をして複数の通話を行い、前記電話回線と前記電話機で通話をしている状態で、他の前記電話回線から着信があった時前記通話先を切替えて通話をする電話機の通話方法である。【０００８】また、ＶＯＩＰ回線を含む複数の電話回線に接続された親機及び子機から構成される電話機の通話方法であって、前記親機内に切替器を備えて、前記電話回線の状態を把握した出力に応答して前記電話回線へのルートを複数設定するように前記切替器を制御するステップと、前記電話機から前記電話回線へ発信する場合に、優先させる電話回線を登録するステップと、その出力に応答し前記優先させる電話回線へのルートを設定するように前記切替器を制御するステップと、通話先を切替える場合に、前記電話機の操作パネル上の切替操作に応答して前記通話先を切替えるように前記切替器を制御するステップと、を備え、前記電話回線と前記親機及び子機とのあいだで着信或は発信をして複数の通話を行い、発信の際には前記優先させる電話回線に発信して通話して、前記電話回線と前記電話機で通話をしている状態で他の前記電話回線から着信があった時には前記通話先を切替えて通話をする電話機の通話方法である。【０００９】また、ＶＯＩＰ回線を含む複数の電話回線に接続された親機及び子機から構成される電話機の通話方法であって、前記電話回線の状態を把握して前記電話回線と前記親機及び子機とのあいだで着信或は発信をして複数の通話を行うステップと、発信の際には前記ＶＯＩＰ回線を優先的に選択して前記ＶＯＩＰ回線から発信して通話するステップと、通話先を切替える場合に、前記電話機の操作パネル上の切替操作により子機を取り上げた時及び元に戻した時に発生する信号とは異なる信号形式の信号を発生するステップと、その信号に応答して前記通話先を切替えるステップと、を備え、前記電話回線と前記電話機で通話をしている状態で、他の前記電話回線から着信があった時前記通話先を切替えて通話をすることを特徴とする電話機の通話方法。である。また、ＶＯＩＰ回線を含む複数の電話回線に接続された親機及び子機から構成される電話機であって、前記親機内に設けられて制御手段１及び２で制御される切替手段と、前記電話回線の状態を把握する手段と、その出力に応答して前記電話回線へのルートを複数設定するように前記切替手段を制御する前記制御手段１と、優先させる電話回線を登録する手段と、その出力に応答して前記優先させる電話回線へのルートを設定するように前記切替手段を制御する前記制御手段２と、を備え、前記電話回線と前記親機及び子機とのあいだで着信或は発信をして複数の通話を行い、発信の際には前記優先させる電話回線に発信して通話することを特徴とする電話機である。また、ＶＯＩＰ回線を含む複数の電話回線に接続された親機及び子機から構成される電話機であって、前記親機内に設けられて制御手段１及び３で制御される切替手段と、前記電話回線の状態を把握する手段と、その出力に応答して前記電話回線へのルートを複数設定するように前記切替手段を制御する前記制御手段１と、前記電話機の操作パネル上の切替操作に応答して通話先を切替えるように前記切替手段を制御する前記制御手段３と、を備え、前記電話回線と前記親機及び子機とのあいだで着信或は発信をして複数の通話を行い、前記電話回線と前記電話機で通話をしている状態で、他の前記電話回線から着信があった時前記通話先を切替えて通話することを特徴とする電話機である。また、ＶＯＩＰ回線を含む複数の電話回線に接続された親機及び子機から構成される電話機であって、前記親機内に設けられて制御手段１、２及び３で制御される切替手段と、前記電話回線の状態を把握する手段と、その出力に応答して前記電話回線へのルートを複数設定するように前記切替手段を制御する前記制御手段１と、優先させる電話回線を登録する手段と、その出力に応答して前記優先させる電話回線へのルートを設定するように前記切替手段を制御する前記制御手段２と、前記電話機の操作パネル上の切替操作に応答して通話先を切替えるように前記切替手段を制御する前記制御手段３と、を備え、前記電話回線と前記親機及び子機とのあいだで着信或は発信をして複数の通話を行い、発信の際には前記優先させる電話回線に発信して、前記電話回線と前記電話機で通話をしている状態で、他の前記電話回線から着信があった時前記通話先を切替えて通話することを特徴とする電話機である。また、前記切替操作によって発生する信号が子機を取り上げた時及び元に戻した時に発生する信号とは異なる信号形式で作成されていることを特徴とする電話機である。また、ＶＯＩＰ回線を含む複数の電話回線に接続された親機及び子機から構成される電話機であって、前記電話回線の状態を把握して前記電話回線と前記親機及び子機とのあいだで着信或は発信をして複数の通話を行う手段と、発信の際に前記ＶＯＩＰ回線を優先的に選択する手段と、通話先を切替える場合に、前記電話機の操作パネル上の切替操作により子機を取り上げた時及び元に戻した時に発生する信号とは異なる信号形式の信号を発生する手段と、その信号に応答して前記通話先を切替える手段と、を備え、発信の際に前記ＶＯＩＰ回線を優先的に選択して前記ＶＯＩＰ回線から発信して通話して、前記電話回線と前記電話機で通話をしている状態で、他の前記電話回線から着信があった時前記通話先を切替えて通話することを特徴とする電話機である。
【発明の効果】
【００１０】本発明によれば、ＶＯＩＰ回線を含む複数の電話回線を効率的に融合して使用する事が出来ることのみならず発信の際の優先権をＶＯＩＰ回線に設定しておけば通話料金を低く抑えられる効果がある。またキャッチホン機能に応用することができる効果もある
【発明を実施するための最良の形態】
【００１１】この発明の一実施形態を図１に示す。図1は親機と子機から構成される電話機であり、図中１は回線制御回路、２は切替制御回路、３はハンドセット、４及び１１は無線制御回路、５及び１３は制御回路、６は操作パネル、７は表示機（ＬＣＤ）、８は呼出ベル、９，１０はアンテナ、１２はマイク／スピーカ（ＭＩＣ／ＳＰ）、２０は親機、３０は子機である。【００１２】  親機２０は通話が出来るハンドセット３を備えている、また外部からの入力として公衆電話網回線（ＰＳＴＮ回線）と、ＶＯＩＰ  ＴＡを経由したＶＯＩＰ回線の２つの電話回線を受ける。ＶＯＩＰ  ＴＡに接続されるＩＰ回線はＦＴＴＨ或いはＡＤＳＬのような有線アクセスシステム、あるいは無線ＬＡＮのような無線アクセスシステムで導かれる。子機３０はハンドセット形となっており通話は１２にて行う。２０で受けた入力回線からの信号は無線制御回路４及び１１、アンテナ９，１０を使用した無線通信にて３０に伝送される。【００１３】回線制御回路１は発信時の回線接続及び着信検出及びその処理、また通話時にはインターフェース処理等を行う。切替制御回路２は２つの入力回線からの信号を状況に応じてそれぞれ３及び４に接続する。その制御は５が行う。【００１４】次に例を挙げて動作を説明する。ＰＳＴＮ回線より着信があった場合、回線制御回路１は着信を検出し制御回路５に伝える。５及び１３は親機２０の呼出ベル８及び、子機３０の呼出ベル８を鳴らし着信を知らせる。今子機を取り上げた場合、制御回路５及び１３は着信通話信号が１−２−４−９−１０−１１を経由して１２に伝達される様に制御して、１２を使用して通話が開始される。【００１５】次にその通話が継続している状態でＶＯＩＰ回線より着信があった場合について説明する。まず回線制御回路１にて着信を検出し制御回路５に伝える。５は現在使用されていない通話機を特定しようと動作し、今それが親機であるので親機の呼出ベル８を鳴らすとともに切替制御回路２を制御してハンドセット３までの着信路を確立する。ここでハンドセット３を使用した通話が可能となる。【００１６】次に先のＰＳＴＮ回線と通話が継続されている状態で、発信通話をする場合の動作について説明する。ハンドセット３を発信通話状態にすると制御回路５は、現在ＶＯＩＰ回線が空きであることを確認して切替制御回路２を制御して３へのルートを確立する。次に制御回路５は発信通話が可能である事を通話者に通知して、操作パネル６にてダイアルされたとき回線制御回路１を制御して回線接続の処理をする。この結果ハンドセット３はＶＯＩＰ回線を介して通話が可能となる。【００１７】以上は、先にＰＳＴＮ回線より着信があり、その状態でＶＯＩＰ回線からの着信あるいはＶＯＩＰ回線へ発信をする場合の動作について説明した。その逆の場合、即ち先にＶＯＩＰ回線より着信があり、その状態でＰＳＴＮ回線からの着信あるいはＰＳＴＮ回線へ発信をする場合の動作も、先に説明した動作とほぼ同じであるのでその説明は割愛する。【００１８】次に発信の場合の動作を説明する。まずＰＳＴＮ回線とＶＯＩＰ回線のうちどちらの回線に優先して発信するかを予め制御回路５に登録することが必要で今ＶＯＩＰ回線を優先とする。子機��使用するとして、子機を通話状態にした時、制御回路５及び１３は１及び２を制御して子機からＶＯＩＰ回線へのルートを確立する。次に子機の操作パネル６でダイアルすればＶＯＩＰ回線を使用して通話が開始される。【００１９】この状態においては親機の通話機能はＰＳＴＮ回線で使用可能となることを制御回路５は認識して、そのように１，２を制御する。それによりＰＳＴＮ回線より着信があれば親機の呼出ベル８を鳴らせ、ハンドセット３を使用して通話を開始できる。またＰＳＴＮ回線への発信も可能でハンドセットを通話状態にして親機の６にてダイアルすれば実現できる。【００２０】このように図１の本発明の一実施形態によれば、２つの回線からの信号を受けて、それらの回線の状態を常時把握することによって、２つの通話機能をもつ親子電話で別々にほぼ自由に２つの回線に対して発着信することが出来る。また発信する際に優先権をＶＯＩＰ回線に設定しておけばＰＳＴＮ回線よりも通話料金を低く抑える事が出来る。従来の親子電話は２つ以上の通話機能を有しているものがほとんどであるので図1を実現するためには制御機能の見直し程度で達成できる。それはそれ程のコストアップとはならない。【００２１】他の実施例として、キャッチホンにも応用することが出来る。たとえば通話者が２つの回線のうちどちらかの回線を使用して通話をしているとき、もう１つの回線から着信があった時、制御回路５から当該ハンドセットの受話器に音によって通話者に着信を知らせる。通話者が新たな着信と通話したい意思があれば操作パネル６上で切替操作を行うことにより２が制御され通話先を切り替えることが出来る。また元に戻すことも出来る。【００２２】図１の説明では無線を利用したコードレス電話機であったが有線電話機であっても同様な効果を持つ、また入力回線として３回線以上となっても例えば子機を増し、制御機能を見直せば同様に構成することが出来る。本発明による電話機にＶＯＩＰ運用事業者が提供するＶＯＩＰ  ＴＡを取り込んでも本発明の効果は変わらない。【００２３】今までの説明はＶＯＩＰ回線による通話には何の制約はないものとして説明したが、現状では運用事業者によって種々の制約がある。例えば緊急電話番号、携帯電話番号等には発信できない制約がある。また現状では未だ着信番号が割り当てられていないのでＰＳＴＮ加入者からの着信は受けられない制約がある。このような制約のうち発信については、予め制御回路５及び１３に登録して、電話番号によって回線を選択させれば良い。或いは制約は運用事業者によるシステムに依存しているので運用事業者が提供するＶＯＩＰ  ＴＡにて対応させることもできる。
【図面の簡単な説明】
【００２４】
【図１】本発明の一実施形態を示す図である。
【符号の説明】
【００２５】  １                回線制御回路  ２                切替制御回路  ３               ハンドセット  ４及び１１      無線制御回路  ５及び１３      制御回路  ６                操作パネル  ７                表示機（ＬＣＤ）  ８                呼出ベル  ９及び１０        アンテナ  １２              マイク／スピーカ（ＭＩＣ／ＳＰ）２０            親機３０            子機
【手続補正３】
【補正対象書類名】図面
【補正対象項目名】全図
【補正方法】変更
【補正の内容】
【図１】
2004140859.tif 000001